(57)【要約】【課題】ステップル針により電線を構造物に沿って固定するためのステップル打ち機を提供する。【解決手段】電線４を構造物３に固定するためのステップル針２を、構造物３に打ち込むステップル打ち機１である。ステップル針２を打ち出すための打出し機構８を有する本体部５と、本体部５に一体的に形成され、かつ、作業者が把持するための把持部６と、本体部５に連結され、かつ、ステップル針２を収納するための収納部７と、固定前の電線４を構造物３に沿った形状に矯正するための矯正部９とを含んでいる。【選択図】図１
2019141928.tif 000002
【特許請求の範囲】
【請求項１】
電線を構造物に固定するためのステップル針を、前記構造物に打ち込むステップル打ち機であって、
前記ステップル針を打ち出すための打出し機構を有する本体部と、
前記本体部に一体的に形成され、かつ、作業者が把持するための把持部と、
前記本体部に連結され、かつ、前記ステップル針を収納するための収納部と、
固定前の前記電線を前記構造物に沿った形状に矯正するための矯正部とを含む、
ステップル打ち機。
【請求項２】
前記収納部は、その長手方向の中間部分に、前記ステップル針の打出し方向を前記構造物に対して直交させるためのスタンドを有する、請求項１に記載のステップル打ち機。
【請求項３】
前記矯正部は、前記スタンドに形成される、請求項２に記載のステップル打ち機。
【請求項４】
前記矯正部は、前記スタンドに形成されたフランジを含む、請求項２又は３に記載のステップル打ち機。
【請求項５】
前記ステップル針は、前記構造物に打ち込まれる金属部分と、前記構造物の外側に露出して前記電線を保持する樹脂部分とを有し、
前記収納部は、前記樹脂部分が連結された複数の前記ステップル針を収納する、請求項１〜４のいずれかに記載のステップル打ち機。
【請求項６】
複数の前記ステップル針は、前記樹脂部分が階段状になるように連結される、請求項５に記載のステップル打ち機。
【請求項７】
前記打出し機構は、高圧空気により、前記ステップル針を打ち出す、請求項１〜６のいずれかに記載のステップル打ち機。
【請求項８】
前記本体部は、作業位置を照らすための照明部を有する、請求項１〜７のいずれかに記載のステップル打ち機。
【請求項９】
前記照明部は、ＬＥＤライトを含む、請求項８に記載のステップル打ち機。
【請求項１０】
前記把持部は、前記収納部に連結され、
前記把持部と前記収納部との連結部分は、非作業時に前記作業者に懸垂可能な支持部を有する、請求項１〜９のいずれかに記載のステップル打ち機。
【発明の詳細な説明】
【技術分野】
【０００１】
本発明は、ステップル針を構造物に打ち込むためのステップル打ち機に関する。
【背景技術】
【０００２】
従来、電線を構造物に固定するためのステップル針を打ち込むための打込機が求められていた。例えば、下記特許文献１では、ステップル針を用いて、電線を構造物に片手で固定するためのステープル打込機を提案している。
【先行技術文献】
【特許文献】
【０００３】
【特許文献１】特開２０１１−１７３２０６号公報
【発明の概要】
【発明が解決しようとする課題】
【０００４】
しかしながら、固定前の電線は、巻き癖や曲がり癖が付いており、特許文献１の打込機では、電線を構造物に沿って固定することが困難であった。
【０００５】
本発明は、以上のような実状に鑑み案出されたもので、ステップル針により電線を構造物に沿って固定するためのステップル打ち機を提供することを主たる目的としている。
【課題を解決するための手段】
【０００６】
本発明は、電線を構造物に固定するためのステップル針を、前記構造物に打ち込むステップル打ち機であって、前記ステップル針を打ち出すための打出し機構を有する本体部と、前記本体部に一体的に形成され、かつ、作業者が把持するための把持部と、前記本体部に連結され、かつ、前記ステップル針を収納するための収納部と、固定前の前記電線を前記構造物に沿った形状に矯正するための矯正部とを含むことを特徴とする。
【０００７】
本発明のステップル打ち機において、前記収納部は、その長手方向の中間部分に、前記ステップル針の打出し方向を前記構造物に対して直交させるためのスタンドを有するのが望ましい。
【０００８】
本発明のステップル打ち機において、前記矯正部は、前記スタンドに形成されるのが望ましい。
【０００９】
本発明のステップル打ち機において、前記矯正部は、前記スタンドに形成されたフランジを含むのが望ましい。
【００１０】
本発明のステップル打ち機において、前記ステップル針は、前記構造物に打ち込まれる金属部分と、前記構造物の外側に露出して前記電線を保持する樹脂部分とを有し、前記収納部は、前記樹脂部分が連結された複数の前記ステップル針を収納するのが望ましい。
【００１１】
本発明のステップル打ち機において、複数の前記ステップル針は、前記樹脂部分が階段状になるように連結されるのが望ましい。
【００１２】
本発明のステップル打ち機において、前記打出し機構は、高圧空気により、前記ステップル針を打ち出すのが望ましい。
【００１３】
本発明のステップル打ち機において、前記本体部は、作業位置を照らすための照明部を有するのが望ましい。
【００１４】
本発明のステップル打ち機において、前記照明部は、ＬＥＤライトを含むのが望ましい。
【００１５】
本発明のステップル打ち機において、前記把持部は、前記収納部に連結され、前記把持部と前記収納部との連結部分は、非作業時に前記作業者に懸垂可能な支持部を有するのが望ましい。
【発明の効果】
【００１６】
本発明のステップル打ち機は、ステップル針を打ち出すための打出し機構を有する本体部と、前記本体部に一体的に形成され、かつ、作業者が把持するための把持部と、前記本体部に連結され、かつ、前記ステップル針を収納する収納部とを含んでいる。このようなステップル打ち機は、電線を保持する樹脂部分を含むステップル針を打ち込むことができる。
【００１７】
本発明のステップル打ち機は、さらに、電線を構造物に沿った形状に矯正する矯正部を含んでいる。このようなステップル打ち機は、電線の固定作業に先立って、電線の巻き癖や曲がり癖を、構造物に沿った形状に容易に矯正することができるので、電線を構造物に沿って容易に固定することができる。このため、本発明のステップル打ち機は、電線の矯正及び電線の固定を１つの機器で可能とし、電線の固定作業の効率を飛躍的に向上させることができる。
【図面の簡単な説明】
【００１８】
【図１】本発明のステップル打ち機の一実施形態を示す側面図である。
【図２】本体部及び収納部の部分断面図である。
【図３】図１のステップル打ち機の斜視図である。
【図４】連結されたステップル針の斜視図である。
【発明を実施するための形態】
【００１９】
以下、本発明の実施の一形態が図面に基づき詳細に説明される。
図１は、本実施形態のステップル打ち機１を示す側面図である。図１に示されるように、本実施形態のステップル打ち機１は、ステップル針２を構造物３に打ち込むためのものである。ここで、ステップル針２は、電線４を構造物３に固定するためのものである。構造物３は、例えば、ビル、マンション、家屋等の建造物である。電線４は、例えば、家庭用の屋内配線に好適に用いられるＶＶＦケーブルである。
【００２０】
本実施形態のステップル打ち機１は、本体部５と、本体部５に一体的に形成された把持部６と、本体部５に連結された収納部７とを含んでいる。
【００２１】
図２は、本体部５及び収納部７の部分断面図である。図１及び図２に示されるように、本体部５は、ステップル針２を打ち出すための打出し機構８を有するのが望ましい。本体部５の打出し機構８は、例えば、高圧空気により、ステップル針２を打ち出している。高圧空気は、例えば、コンプレッサ（図示省略）から、エアホース（図示省略）を介して、把持部６に設けられたプラグ部１５より供給される。プラグ部１５は、例えば、回動自在に構成されていてもよい。このような打出し機構８は、ステップル針２に大きい力を加えることができるので、ステップル針２を構造物３により確実に打ち込むことができる。
【００２２】
なお、打出し機構８は、例えば、電動モータにより、ステップル針２を打ち出してもよい。このようなステップル打ち機１は、コンプレッサを準備する必要がなく、短時間の作業に適している。また、電動モータによるステップル打ち機１は、エアホースが必要ないことから、その取り扱いが容易である。
【００２３】
図３は、図１のステップル打ち機１の斜視図である。図１〜図３に示されるように、本体部５は、一端側にステップル針２が打ち出される開口部１６を有するのが望ましい。開口部１６は、例えば、本体部５の収納部７が連結されている位置に形成されている。開口部１６の周囲は、ステップル針２の打ち出し方向に直交する平面部３０を有するのが望ましい。平面部３０には、平面部３０が接触しているときのみ、ステップル針２を打ち出し可能にする安全機構３１が設けられるのが望ましい。
【００２４】
本実施形態の本体部５は、把持部６に隣接してトリガー１７が設けられている。ここで、把持部６は、作業者がステップル打ち機１を使用するときに、ステップル打ち機１を把持するためのものである。トリガー１７は、例えば、把持部６側に引かれることで、打出し機構８を作動させることができる。打出し機構８は、トリガー１７が引かれたときであって、かつ、平面部３０に設けられた安全機構３１が作動している場合にのみ、打出し機構８を作動させるように構成されているのが望ましい。
【００２５】
本実施形態の収納部７は、複数のステップル針２を収納することができる。このようなステップル打ち機１は、ステップル針２を連続して打ち出すことができる。
【００２６】
収納部７は、一端側が本体部５に連結されており、他端側がステップル針２を収納するための収納口２１を有するのが望ましい。収納口２１は、例えば、開閉自在な蓋部２２を有している。このような収納部７は、収納口２１からステップル針２を容易に挿入することができる。
【００２７】
収納部７は、その長手方向の中間部分に、スタンド２３を有するのが望ましい。スタンド２３は、その下端が、本体部５の開口部１６の周囲の平面部３０と同一平面に位置するのが望ましい。このようなスタンド２３は、スタンド２３と開口部１６とを構造物３に接することで、ステップル針２の打出し方向を構造物３に対して容易に直交させることができる。
【００２８】
スタンド２３は、例えば、一対のスタンド板２３Ａを含んでいる。本実施形態のスタンド板２３Ａには、それぞれ、端部が収納部７の幅方向内側に折り曲げられたフランジ２３ａが形成されている。スタンド２３は、一対のスタンド板２３Ａの間に、電線４を挿通可能な挿通部２４を有するのが望ましい。このような挿通部２４が形成されたスタンド２３は、電線４の取り回しが容易になり、電線４を固定する作業性をさらに向上させ得る。
【００２９】
本実施形態のステップル打ち機１は、固定前の電線４を構造物３に沿った形状に矯正するための矯正部９を含んでいる。このため、作業者は、矯正部９を電線４に沿って摺動させることで、電線４の巻き癖や曲がり癖をまっすぐに又は所望の形状に矯正することができる。
【００３０】
このようなステップル打ち機１は、固定作業に先立って、電線４の巻き癖や曲がり癖を、構造物３に沿った形状に容易に矯正することができるので、電線４を構造物３に沿って容易に固定することができる。このため、本実施形態のステップル打ち機１は、電線４の矯正及び電線４の固定を１つの機器で可能とし、電線４の固定作業の効率を飛躍的に向上させることができる。
【００３１】
矯正部９は、スタンド２３に形成されるのが望ましい。本実施形態の矯正部９は、スタンド２３に形成されたフランジ２３ａを含んでいる。このような矯正部９は、作業性が良好であり、電線４の矯正作業の効率を向上させることができる。
【００３２】
図４は、連結されたステップル針２の斜視図である。図２〜図４に示されるように、ステップル針２は、構造物３に打ち込まれる金属部分１０と、構造物３の外側に露出して電線４を保持する樹脂部分１１とを有するのが望ましい。このようなステップル針２は、電線４を傷つけることなく、確実に保持することができる。
【００３３】
本実施形態の金属部分１０は、一対の脚部１０ａと、脚部１０ａを連結する横部１０ｂとを含む略Ｕ字状に形成されている。脚部１０ａは、樹脂部分１１に挿入されるのが望ましい。
【００３４】
本実施形態の樹脂部分１１は、金属部分１０の脚部１０ａが挿入される一対の孔部１１ａと、ステップル針２が構造物３に打ち込まれたときに、金属部分１０の横部１０ｂが嵌入される嵌入部１１ｂとを含んでいる。嵌入部１１ｂは、一対の孔部１１ａを連結するのが望ましい。
【００３５】
樹脂部分１１は、互いに連結可能な連結部１２を有するのが望ましい。連結部１２は、例えば、一対の凸部１３と、凸部１３に連結される一対の凹部１４とを含んでいる。本実施形態のステップル針２は、互いに隣接するステップル針２の凸部１３と凹部１４とが連結された状態で、ステップル打ち機１の収納部７に収納されている。このようなステップル針２は、ステップル打ち機１の収納部７への収納作業をスムーズに行うことができる。
【００３６】
図４に示されるように、ステップル針２は、電線４（図１に示す）の大きさに合わせて、複数種の大きさの中から適宜選択されるのが望ましい。図４では、大きい電線４を固定するための第１ステップル針２Ａと小さい電線４を固定するための第２ステップル針２Ｂとが例示されている。ステップル針２は、３種類以上の大きさから選択されてもよい。このようなステップル針２は、電線４の大きさに適したものを選択することができ、電線４を確実に保持することができる。
【００３７】
金属部分１０は、例えば、金属ワイヤから形成される。本実施形態の金属部分１０は、まず、金属ワイヤを予め定められた長さにカットしている。このとき、カットされた金属ワイヤの両端を尖塔形状に加工するのが望ましい。本実施形態では、カットされた金属ワイヤの両端が略Ｕ字状に曲げられて一対の脚部１０ａが形成される。ステップル針２の金属部分１０は、その形状に加工された後、表面処理されるのが望ましい。表面処理は、例えば、亜鉛メッキが採用される。
【００３８】
樹脂部分１１は、例えば、射出成形により形成される。射出成形された樹脂部分１１には、金属部分１０の脚部１０ａが挿入されることで、組み合わされるのが望ましい。
【００３９】
図２及び図４に示されるように、樹脂部分１１と金属部分１０とが組み合わされた複数のステップル針２は、樹脂部分１１が階段状になるように互いに連結されるのが望ましい。
【００４０】
図１及び図３に示されるように、本実施形態の把持部６は、収納部７に連結されている。把持部６と収納部７との連結部分は、非作業時に作業者に懸垂可能な支持部１９を有するのが望ましい。支持部１９は、例えば、作業者の腰部に懸垂可能なフック２０を含んでいる。このような支持部１９を有するステップル打ち機１は、非作業時であっても、作業者に携行されるので、作業者は、ステップル打ち機１を用いた作業に、スムーズに移行することができる。
【００４１】
なお、支持部１９は、例えば、本体部５に設けられてもよい。支持部１９は、例えば、複数の場所に取り付け自在に構成されていてもよいし、複数の場所に予め設けられていてもよい。このような支持部１９は、作業者の装備等に応じて、適した位置で作業者に懸垂され得る。
【００４２】
本実施形態の本体部５は、作業位置を照らすための照明部１８を有している。照明部１８は、ＬＥＤライトを含むのが望ましい。このような照明部１８を有するステップル打ち機１は、例えば、屋根裏等の暗い場所で作業するときに、別の照明を準備することなく、作業位置を照らすことができるので、電線４の固定作業を効率よく行うことができる。
【００４３】
なお、照明部１８は、例えば、収納部７に設けられてもよいし、支持部１９に設けられていてもよい。照明部１８は、例えば、複数の場所に設けられていてもよい。複数の照明部１８が設けられたステップル打ち機１は、作業場所や作業姿勢に応じて、適した場所の照明部１８を使用することができる。また、仮に１つの照明部１８が故障した場合であっても、他の照明部１８により、作業位置を目視することができる。
【００４４】
本実施形態の収納部７は、ステップル針２の打出し方向に対して、鋭角の角度θを有する方向に延びている。このような収納部７は、一端側よりも他端側が把持部６に近づいており、収納部７の他端側の下方に空間を形成することができる。このため、作業者は、ステップル針２を打ち込む作業位置の目視が容易となり、電線４の固定作業をより効率よく行うことができる。
【００４５】
図２に示されるように、収納部７は、樹脂部分１１が連結された複数のステップル針２を収納している。収納部７は、例えば、ステップル針２を本体部５に向けて押圧する押圧手段２５を有している。
【００４６】
本実施形態の押圧手段２５は、収納部７の長手方向に沿って押圧している。このため、押圧手段２５の押圧方向は、ステップル針２を打出し方向に対して、鋭角の角度θを有している。このような押圧手段２５は、収納部７内のステップル針２を、収納部７の長手方向に沿って、容易に移動させ得る。
【００４７】
収納部７は、収納されたステップル針２の外側を支持する一対の外側支持部２７を有するのが望ましい。このような収納部７は、ステップル針２の樹脂部分１１を外側支持部２７で支持している。このため、本実施形態の収納部７は、複数の大きさの電線４を固定するのに適したステップル針２を、収納することができる。
【００４８】
以上、本発明の特に好ましい実施形態について詳述したが、本発明は、上述の実施形態に限定されることなく、種々の態様に変形して実施し得る。
【符号の説明】
【００４９】
１    ステップル打ち機
２    ステップル針
３    構造物
４    電線
５    本体部
６    把持部
７    収納部
８    打出し機構
９    矯正部
【図１】
2019141928.tif 000003
【図２】
2019141928.tif 000004
【図３】
2019141928.tif 000005
【図４】
2019141928.tif 000006